(57)【要約】【課題】裏面の金具収容凹所に引掛け金具を固定したパネル本体を、壁面側の受け金具に係止させて壁面に設置する際に、受け金具がパネル本体の裏面に当たっても損傷、塑性変形しにくい内装パネルを提供する。【解決手段】壁面２に取り付けされる受け金具３０は、壁面２に固定される基部片３１と、基部片３１より壁面２前方かつ上方に延設され、パネル本体１０に取り付けされた引掛け金具２０を引掛け挿入させるための挿入口３４を形成させる係止片３２と、壁面２から壁面２に取り付けた受け金具３０の係止片３２の前方面３２ｂａまでの寸法を確保し、かつ、パネル本体１０を壁面２に取り付けたときに、金具取付凹部１２内に収容される突部３３とを備えている。【選択図】図１
2011069144.tif 000002
【特許請求の範囲】
【請求項１】
金具収容凹部が裏面に形成されたパネル本体と、該金具取付凹部内に収容固定された引掛け金具と、壁面に取り付けされ、該引掛け金具を引掛けたときに上記金具取付凹部内に収容される受け金具とを備えた内装パネルであって、
上記受け金具は、壁面に固定される基部片と、該基部片より壁面前方かつ上方に延設され、上記パネル本体に取り付けされた引掛け金具を引掛け挿入させるための挿入口を形成させる係止片と、上記壁面から該壁面に取り付けた受け金具の係止片の前方面までの寸法を確保し、かつ、上記パネル本体を上記壁面に取り付けたときに、上記金具取付凹部内に収容される突部とを備えていることを特徴とする内装パネル。
【請求項２】
請求項１において、
上記突部は、上記基部片から上記パネル本体の裏面側に向けて突出形成されている内装パネル。
【請求項３】
請求項１において、
上記突部は、上記係止片から上記壁面側に向けて突出形成されている内装パネル。
【請求項４】
請求項１〜３のいずれか１項において、
上記引掛け金具は板ばねで構成された引掛け片を備え、上記パネル本体を上記壁面に取り付けたときに、該引掛け片の復帰弾性力が作用して、上記金具収容凹部の底面との間に上記受け金具の係止片を挟持する構成としている内装パネル。
【発明の詳細な説明】
【技術分野】
【０００１】
本発明は、室内の壁面に設置される内装パネルに関する。
【背景技術】
【０００２】
従来の内装パネルとしては、パネル本体の裏面に引掛け金具を固定し、一方、壁面には、引掛け金具を係止させる係止片を備えた受け金具を固定して、パネル本体に固定された引掛け金具を受け金具の係止片に引掛けて壁面に取り付けるようにしたものが一般的に知られている。また、パネル本体の保管、搬送の際、パネル本体を積み重ねたときにかさばらないように、パネル本体の裏面に引掛け金具を収容固定する金具収容凹部を設けたものも提案されている（特許文献１参照）。
【０００３】
このようにパネル本体の裏面に金具収容凹部を設けたものでは、パネル本体に固定した引掛け金具を受け金具に係止させたときには、受け金具も金具収容凹部内に収容させることができるので、それによってパネル本体と壁面との隙間間隔をほとんどなくすことができる。また、引掛け金具を金具収容凹部に固定しておけば、引掛け金具の保護も図れる。
【先行技術文献】
【特許文献】
【０００４】
【特許文献１】特開２０００−１２９８５４号公報
【発明の概要】
【発明が解決しようとする課題】
【０００５】
一方、受け金具については、壁面に固定した状態では壁面より水平方向に突出した状態にあるため、なんらの保護もなされていない。しかも、受け金具は、下部の基部片が壁面に固定されている一方、上部の係止片は壁面との間に引掛け金具の挿入口を開けて起立した状態にあるため、パネル本体を壁面に取り付ける際にパネル本体の裏面が係止片に当たれば、壁面側に変形するおそれがある。特に、パネル本体に金具収容凹部が形成されて引掛け金具が裏面より突出しないようにしたものでは、パネル本体の裏面には突出したものが存在しないため、受け金具の係止片はパネル本体の裏面に接触し、さらにパネル本体の裏面と壁面との間に挟み込まれて押圧されることもあり、そのため作業を繰り返すうちに塑性変形してしまうおそれがある。
【０００６】
本発明は、このような事情を考慮して提案されたもので、その目的は、裏面の金具収容凹所に引掛け金具を固定したパネル本体を、壁面に固定した受け金具に係止させて設置する際に、受け金具がパネル本体の裏面に当たっても損傷、塑性変形しにくい内装パネルを提供することにある。
【課題を解決するための手段】
【０００７】
上記目的を達成するために、本発明に係る内装パネルは、金具収容凹部が裏面に形成されたパネル本体と、金具取付凹部内に収容固定された引掛け金具と、壁面に取り付けされ、引掛け金具を引掛けたときに金具取付凹部内に収容される受け金具とを備えた内装パネルであって、受け金具は、壁面に固定される基部片と、基部片より壁面前方かつ上方に延設され、パネル本体に取り付けされた引掛け金具を引掛け挿入させるための挿入口を形成させる係止片と、壁面から壁面に取り付けた受け金具の係止片の前方面までの寸法を確保し、かつ、パネル本体を上記壁面に取り付けたときに、金具取付凹部内に収容される突部とを備えていることを特徴とする。
【０００８】
内装パネルをこのような構成とすることで、パネル本体を壁面に設置する際に、突部がストッパとなって、パネル本体が受け金具の係止片を押圧することを規制できるため、係止片がパネル本体から強い力を受けることはなく、係止片の損傷、塑性変形を防止することができる。
【０００９】
また、本発明に係る内装パネルは、突部が基部片からパネル本体の裏面側に向けて突出形成されたものとしてもよい。
【００１０】
このような構成によれば、突部は引掛け金具と受け金具との相互係止作業になんらのじゃまにはならず、作業をスムーズに行える。また、突部を基部片の一部を折り曲げて形成すれば、製造も容易であり、材料費もかからない。さらに、突部として、基部片に取り付ける壁面に対するビスで代用すれば、より簡便である。
【００１１】
また、本発明に係る内装パネルは、突部が係止片から壁面側に向けて突出形成されたものとしてもよい。
【００１２】
このような構成によれば、受け金具の係止片の壁面側への撓みを直接的に阻止できる。
【００１３】
さらに、本発明に係る内装パネルとしては、引掛け金具が板ばねで構成された引掛け片を備え、パネル本体を壁面に取り付けたときに、引掛け片の復帰弾性力が作用して、金具収容凹部の底面との間に受け金具の係止片を挟持する構成としたものでもよい。
【００１４】
このような構成によれば、引掛け金具と受け金具とのより強力な係止関係を形成でき、そのため内装パネルがずれたり、壁面より外れたりすることを防止することができる。
【発明の効果】
【００１５】
本発明に係る内装パネルは、上記のような構成とすることで、裏面の金具収容凹所に引掛け金具を固定したパネル本体を、壁面側の受け金具に係止させて取り付ける際に、受け金具がパネル本体の裏面に当たった場合でも、損傷、塑性変形することを防止することができる。
【図面の簡単な説明】
【００１６】
【図１】（ａ）は本発明に係る内装パネルの第１実施形態を示した、内装パネルの施工状態の斜視図および部分拡大斜視図であり、（ｂ）は受け金具の他例を示す斜視図である。
【図２】（ａ）、（ｂ）は同内装パネルの施工手順を示す部分縦断面図である。
【図３】（ａ）、（ｂ）は同内装パネルの施工手順を示す部分縦断面図である。
【図４】本発明に係る内装パネルの別実施形態の説明図で、（ａ）は内装パネルに用いられる受け金具の斜視図、（ｂ）は同受け金具の取付状態を示した縦断面図である。
【発明を実施するための形態】
【００１７】
以下に、本発明の実施形態について、添付図面を参照しながら説明する。
【００１８】
以下に示す内装パネルは、室内壁に設置されるパネルであり、サウンドパネル、空気清浄パネル、輻射暖房パネル、光パネル等の薄型機能パネルが内装パネルとして適用できる。
【００１９】
図１〜図３は、本発明に係る内装パネルの第１実施形態の説明図である。図１（ａ）は同内装パネルの施工状態の斜視図および部分拡大斜視図、図１（ｂ）は受け金具の他例を示す斜視図である。また、図２（ａ）、（ｂ）は同内装パネルの施工手順を示す部分縦断面図、図３（ａ）、（ｂ）は同内装パネルの施工手順を示す部分縦断面図である。
【００２０】
この内装パネル１は、壁面２に取り付けされる縦型の薄型機能パネルであって、パネル本体１０と、そのパネル本体１０を壁面２に取り付けるための複数組の係止金具とを含んで構成されている。パネル本体１０の裏面１１の複数個所（図例ではパネル本体１０の左右端に３箇所ずつ計６箇所）には、後述する２種の係止金具を収容させるための上下左右に配列された複数の金具収容凹所１２が形成されている。
【００２１】
金具収容凹所１２は、２種の係止金具を係止させた状態で、その全体をほぼ収容できる程度の深さ（奥行き）寸法と、取付作業が可能な程度の上下寸法を必要とする。なお、幅寸法については、係止金具を収容できるものであれば十分に幅広のものでもよいが、本実施形態では、パネル本体１０に十分な強度を持たせるために、係止金具の幅寸法よりもやや幅広としている。
【００２２】
係止金具は、パネル本体１０に取り付けされる引掛け金具２０と、壁面２に取り付けされる受け金具２０とより構成されており、これらは現場での施工の際にパネル本体１０および壁面２に取り付けて使用すればよいが、引掛け金具２０は事前に金具収容凹所１２内に収容固定しておくことが、現場作業を効率的に行うためには望ましい。
【００２３】
引掛け金具２０は、ビス等で金具収容凹所１２の底面１２ａの上端部に固定される、取付孔を有した固定部２１と、受け金具３０と相互に係止される引掛け片２２とを備えている。この引掛け片２２は、上部に配された逆「く」字形の折曲押圧片２２ａと、下部に配されたガイド片２２ｂとを備えて全体として板ばねを構成し、折曲押圧片２２ａの下端折曲部２２ａａ（ガイド片２２ｂの基端部）が底面１２ａとの間にわずかな隙間を開けた状態で、金具収容凹所１２内に固定されている。この引掛け金具２０を壁面２に固定された受け金具３０に係止させたときには、引掛け片２２が板ばねとして作用して、折曲押圧片２２ａの下端部２２ａａが復帰弾性力でもって金具収容凹所１２の底面１２ａとの間に受け金具３０を挟持するようになっている。
【００２４】
一方、受け金具３０は、取付孔３１ａを介してビス等で壁面２に固定される基部片３１と、この基部片３１より壁面２前方かつ上方に延設され、パネル本体１０に取り付けされた引掛け金具２０の引掛け片２２を引掛け挿入させるための、壁面２との間に形成される挿入口３４を形成させる係止片３２とを備えている。本実施形態では、この係止片３２は、基部片３１の上端から上方に傾斜した傾斜部３２ａと、その傾斜部３２ａの上端から真上に延びた起立部３２ｂとより構成されている。
【００２５】
さらに受け金具３０は、図１（ａ）に示すように、基部片３１の下端近傍に、基部片３１の幅方向の両端よりパネル本体１０の裏面１１側に向けて突出した一対の突片よりなる突部３３を備えている。この突部３３は、壁面２から壁面２に取り付けた受け金具３０の係止片３２の前方面３２ｂａまでの水平方向の距離Ｄ（図２（ａ）参照）とほぼ同寸法とし、かつ、パネル本体１０を壁面２に取り付けたときに、全体が金具取付凹部１２内に収容される。
【００２６】
すなわち、受け金具３０を壁面２に正しく取り付けた状態では、係止片３２（起立部３２ｂ）の前方面３２ｂａと突部３３の先端３３ａとを結ぶ仮想線は床面に対してほぼ垂直をなし、壁面２に取り付けされるパネル本体１０の裏面１１に対して、ほぼ平行になっている。
【００２７】
なお、本図例では、突部３３として受け金具３０と一体形成された一対の突片を示したが、別体でもよいし、また１片だけでもよい。また、基部片３１からパネル本体１０の裏面１１側に向けて突出形成された突部３３としては、基部片３１の表面から突出したものであってもよく、例えば受け金具３０を固定するためのビスを代用してもよい。
【００２８】
また、受け金具３０の他の形状としては、図１（ｂ）に示したように、突部３３を基部片３１の下端より床面にほぼ平行に折曲延設させたものでもよい。
【００２９】
ついで、図２および図３を参照しながら、内装パネル１の壁面２への施工手順について説明する。
【００３０】
まず、受け金具３０をパネル本体１０の裏面１の金具収容凹所１２の位置に合致するように壁面２に固定しておき、金具収容凹所１２に引掛け金具２０を収容固定したパネル本体１０を、引掛け金具２０の位置と、受け金具３０の位置とが概ね合うように壁面２の前方より近づけていく（図２（ａ）参照）。
【００３１】
パネル本体１０をさらに壁面２に近づけ、受け金具３０の係止片３２をパネル本体１０の裏面１１位置まで移動させると（図２（ｂ）参照）、金具収容凹所１２と受け金具３０の位置が合っていれば、図３（ｂ）に示すように、引掛け金具２０と受け金具３０とは金具収容凹所１２内の適切な位置関係に配されるが、そうでない場合は、パネル本体１０の裏面１１が壁面２に固定した受け金具３０の前方面３２ｂａにほぼ接した状態となり（図２（ｂ）参照）、その位置でパネル本体１０を上下左右に動かしながら、正しい位置を探すことになる。
【００３２】
このとき、受け金具３０の係止片３２の前方面３２ｂａがパネル本体１０の裏面１１に接した状態となるが、受け金具３０の基部片３１に形成された一対の突片（突部３３）の先端３３ａもパネル本体１０の裏面１１に接する。そして、この突片がパネル本体１０の壁面２側への押圧を規制することになるため、それ以後は、パネル本体１０を壁面２側へ押し付けたとしても、受け金具３０の係止片３２には、折れ曲がったり変形したりするほどの押圧力は付加されない。
【００３３】
したがって、この内装パネル１によれば、パネル本体１０を壁面２に設置する際に、突部３３によってパネル本体１０が受け金具３０の係止片３２を押圧することを規制できるため、係止片３２がパネル本体１０から壁面２側へ押しやられるほどの強い力を受けることはなく、係止片３２の損傷、塑性変形を防止することができる。
【００３４】
こうした位置合わせ作業をしながら、受け金具３０が金具収容凹所１２内の引掛け金具２０よりも下方の空間に入り込むと、その後、パネル本体１０を下方にずらすことで引掛け金具２０の引掛け片２２が受け金具３０の挿入口３４より係止片３２と壁面２との間の空間に挿入される。このとき、引掛け金具２０の下端には外側に開いたガイド片２２ｂが形成されているため、図３（ａ）のように受け金具３０が完全に金具収容凹所１２内に収容されていない状態でも、パネル本体１０の下方へのずらし操作によって、受け金具３０の係止片３２の上端が引掛け金具２０のガイド片２２ｂの裏側に接触しながら、係止片３２は金具取付凹所１２の底面１２ａと引掛け金具２０の引掛け片２２との間の空間に入り込み、それと同時に板ばねとして形成された引掛け片２２は、壁面２側にやや弾性変形した状態で挿入口３４から下方に向かって入り込んでいく。
【００３５】
そうして、引掛け片２２の基端部２２ｃの裏側が受け金具３０の係止片３２の先端に当て止めされ、それとほぼ同時に、ガイド片２２ｂが受け金具３０の傾斜部３２ａに面接触すると、引掛け金具２０と受け金具３０の相互の係止が完了して、パネル本体１０は壁面２に正しく設置される。
【００３６】
この場合、上記面接触が、受け金具３０の係止片３２の先端による規制タイミングよりもやや早くなるように相互の金具の長さ寸法が調整されていれば、図３（ｂ）に示すように、引掛け片２２が係止片３２の先端により当て止めされるまでの間、引掛け金具２０のガイド片２２ｂは、その先端が壁面２に到達するまで傾斜部３２ａの上面を滑ってゆき、その結果、引掛け片２２は壁面２側へ弾性変形した状態となる。
【００３７】
したがって、このような状態が保持されると、その状態では引掛け片２２の復帰弾性力が作用して、引掛け片２２はパネル本体１０を裏面１１側より押圧しようとし、その結果、金具収容凹部１２の底面１２ａとの間で受け金具３０の係止片３２を強力に挟み込むので、パネル本体１０は壁面２に安定的に固定される。
【００３８】
また、本実施形態では、受け金具３０の突部３３は基部片３１に形成されているので、引掛け金具２０と受け金具３０との相互係止作業になんらのじゃまにはならず、作業をスムーズに行えるし、突部３３を基部片３１の一部を折り曲げて一体的に形成しているので、製造も容易であり、材料費もかからない。
【００３９】
つぎに、受け金具の形状が第１実施形態のものとは異なる第２実施形態について説明する。図４（ａ）は内装パネルに用いられる受け金具の斜視図、（ｂ）は同受け金具の取付状態を示した縦断面図である。なお、本実施形態では、内装パネル１の構成部材のうち、パネル本体１０、その裏面１１に形成された金具収容凹所１２、および引掛け金具２０の形状は、第１実施形態のものと同様であるため、パネル本体１０側の図示は省略している。また、第１実施形態と同一の構成については、同一の符号を付してその説明を省略する。
【００４０】
この受け金具３０は、第１実施形態と同様、基部片３１と、係止片３２と、突部３３とを備え、基部片３１の取付孔３１ａを介してビス止めして固定されるようになっているが、突部３３が第１実施形態のものとは異なり、係止片３２に形成されている。本図例では、係止片３２の起立部３２ｂの下端近傍に、係止片３２の幅方向の両端から壁面２側に向けて一対の突片よりなる突部３３が突出形成されている。
【００４１】
このような構成によれば、突部３３が係止片３１に形成されているので、受け金具３０の係止片３２が変形することを直接的に阻止することができる。
【００４２】
また、引掛け金具２０の引掛け片２２の挿入をしやすくするために、突片は係止片３２の幅方向の一端のみに形成するようにしてもよい。
【符号の説明】
【００４３】
１      内装パネル
２      壁面
１０      パネル本体
１１      裏面
１２      金具収容凹所
１２ａ      底面
２０      引掛け金具
２１      固定部
２２      引掛け片
２２ａ      折曲押圧片
２２ｂ      ガイド片
２２ｃ      基端部
３０      受け金具
３１      基部片
３２      係止片
３２ａ      傾斜部
３２ｂ      起立部
３３      突部
３４      挿入口
【図１】
2011069144.tif 000003
【図２】
2011069144.tif 000004
【図３】
2011069144.tif 000005
【図４】
2011069144.tif 000006